【手続補正書】
【提出日】平成29年3月3日(2017.3.3)
【手続補正１】
【補正対象書類名】特許請求の範囲
【補正対象項目名】全文
【補正方法】変更
【補正の内容】
【特許請求の範囲】
【請求項１】
多プライトイレットペーパーであって、
前記トイレットペーパーの第１の表面を形成する第１のプライであって、前記第１のプライは、第１の層および第２の層を含み、前記第１のプライの前記第１の層は、前記第１の表面を形成し、前記第１のプライの前記第１の層は、一時的湿潤強度樹脂を含み、前記第１のプライの前記第２の層は、一時的湿潤強度樹脂を実質的に含まない、第１のプライと、
前記トイレットペーパーの第２の表面を形成する第２のプライであって、前記第２のプライは、第１の層および第２の層を含み、前記第２のプライの前記第１の層は、前記第２の表面を形成し、前記第２のプライの前記第１の層は、一時的湿潤強度樹脂を含み、前記第２のプライの前記第２の層は、一時的湿潤強度樹脂を実質的に含まない、第２のプライと、
を含む、多プライトイレットペーパー。
【請求項２】
多プライトイレットペーパーであって、
前記トイレットペーパーの第１の表面を形成する第１のプライと、
前記トイレットペーパーの第２の表面を形成する第２のプライと、
を含み、
前記トイレットペーパーが、５０ｇ〜９０ｇの間のＣＤ湿潤引張強度を有し、
湿潤摩耗リント面積が、湿潤摩耗リント試験により決定されるとき、前記トイレットペーパーが、０．３３３ｍｍ２／ｇ未満の湿潤摩耗リント面積対ＣＤ湿潤引張強度の比を有する、多プライトイレットペーパー。
【請求項３】
多プライトイレットペーパーであって、
前記トイレットペーパーの第１の表面を形成する第１のプライであって、前記第１のプライは、第１の層および第２の層を含み、前記第１のプライの前記第１の層は、前記第１の表面を形成し、前記第１のプライの前記第１の層は、一時的湿潤強度樹脂を含み、前記第１のプライの前記第２の層は、一時的湿潤強度樹脂を含まない、第１のプライと、
前記トイレットペーパーの第２の表面を形成する第２のプライであって、前記第２のプライは、第１の層および第２の層を含み、前記第２のプライの前記第１の層は、前記第２の表面を形成し、前記第２のプライの前記第１の層は、一時的湿潤強度樹脂を含み、前記第２のプライの前記第２の層は、一時的湿潤強度樹脂を含まない、第２のプライとを含み、
前記トイレットペーパーは、５５ｇ〜７５ｇの間のＣＤ湿潤引張強度を有し、
湿潤摩耗リント面積が、湿潤摩耗リント試験により決定されるとき、前記トイレットペーパーは、０．３３３ｍｍ２／ｇ未満の湿潤摩耗リント面積対ＣＤ湿潤引張強度の比を有する、多プライトイレットペーパー。
【請求項４】
前記トイレットペーパーが北部針葉樹クラフト繊維およびユーカリ繊維を含む、請求項１〜３のいずれか一項に記載の多プライトイレットペーパー。
【請求項５】
前記トイレットペーパーが北部針葉樹クラフト繊維を少なくとも１５％含む、請求項４に記載の多プライトイレットペーパー。
【請求項６】
前記トイレットペーパーが北部針葉樹クラフト繊維を少なくとも２５％含む、請求項５に記載の多プライトイレットペーパー。
【請求項７】
前記トイレットペーパーが北部針葉樹クラフト繊維を１４％〜４０％およびユーカリ繊維を６０％〜８６％含む、請求項１〜３のいずれか一項に記載の多プライトイレットペーパー。
【請求項８】
前記トイレットペーパーが前記第１のプライと前記第２のプライとの間に挟まれた第３のプライをさらに含む、請求項１〜３のいずれか一項に記載の多プライトイレットペーパー。
【請求項９】
前記第３のプライが南部広葉樹繊維、南部針葉樹繊維および再生繊維を含む、請求項８に記載の多プライトイレットペーパー。
【請求項１０】
前記第３のプライが１層だけを含み、前記１層全体に一時的湿潤強度樹脂を有する、請求項８に記載の多プライトイレットペーパー。
【請求項１１】
前記第３のプライが前記第１のプライおよび前記第２のプライのそれぞれよりも低いＣＤ湿潤引張強度を有する、請求項８に記載の多プライトイレットペーパー。
【請求項１２】
前記トイレットペーパーがセルロースマイクロ繊維を含まない、請求項１〜３のいずれか一項に記載の多プライトイレットペーパー。
【請求項１３】
前記トイレットペーパーが１３０ｍｉｌｓ／８プライ超の厚さを有する、請求項１〜３のいずれか一項に記載の多プライトイレットペーパー。
【請求項１４】
前記トイレットペーパーが３０ｌｂｓ／連〜４０ｌｂｓ／連の坪量を有する、請求項１〜３のいずれか一項に記載の多プライトイレットペーパー。
【請求項１５】
前記トイレットペーパーが５５ｇ〜８５ｇの間のＣＤ湿潤引張強度を有する、請求項２に記載の多プライトイレットペーパー。
【請求項１６】
前記トイレットペーパーが６５ｇ〜７５ｇの間のＣＤ湿潤引張強度を有する、請求項２または３に記載の多プライトイレットペーパー。
【請求項１７】
湿潤摩耗リント面積対ＣＤ湿潤引張強度の比が、０．０６ｍｍ２／ｇ〜０．３３３ｍｍ２／ｇである、請求項２または３に記載の多プライトイレットペーパー。
【請求項１８】
前記トイレットペーパーが６０ｇ／％歪み未満のＧＭ破断係数を有する、請求項２または３に記載の多プライトイレットペーパー。
【請求項１９】
多プライトイレットペーパーであって、
前記トイレットペーパーの第１の表面を形成する第１のプライであって、前記第１のプライは、第１の層および第２の層を含み、前記第１のプライの前記第１の層は、前記第１の表面を形成し、前記第１のプライの前記第１の層は、一時的湿潤強度樹脂を含み、前記第１のプライの前記第２の層は、一時的湿潤強度樹脂を実質的に含まない、第１のプライと、
前記トイレットペーパーの第２の表面を形成する第２のプライと、
を含む、多プライトイレットペーパー。
【請求項２０】
多プライトイレットペーパーであって、
前記トイレットペーパーの第１の表面を形成する第１のプライであって、前記第１のプライは、第１の層および第２の層を含み、前記第１のプライの前記第１の層は、前記第１の表面を形成し、前記第１のプライの前記第１の層は、一時的湿潤強度樹脂を含み、前記第１のプライの前記第２の層は、一時的湿潤強度樹脂を実質的に含まない、第１のプライと、
前記トイレットペーパーの第２の表面を形成する第２のプライであって、前記第２のプライは、第１の層および第２の層を含み、前記第２のプライの前記第１の層は、前記第２の表面を形成し、前記第２のプライの前記第１の層は、一時的湿潤強度樹脂を含み、前記第２のプライの前記第２の層は、一時的湿潤強度樹脂を実質的に含まない、第２のプライと、を含み、
前記トイレットペーパーが、５５ｇ〜７５ｇの間のＣＤ湿潤引張強度を有する、多プライトイレットペーパー。
【請求項２１】
多プライトイレットペーパーであって、
前記トイレットペーパーの第１の表面を形成する第１のプライであって、前記第１のプライは、第１の層および第２の層を含み、前記第１のプライの前記第１の層は、前記第１の表面を形成し、前記第１のプライの前記第１の層は、一時的湿潤強度樹脂を含み、前記第１のプライの前記第２の層は、一時的湿潤強度樹脂を実質的に含まない、第１のプライと、
前記トイレットペーパーの第２の表面を形成する第２のプライであって、前記第２のプライは、第１の層および第２の層を含み、前記第２のプライの前記第１の層は、前記第２の表面を形成し、前記第２のプライの前記第１の層は、一時的湿潤強度樹脂を含み、前記第２のプライの前記第２の層は、一時的湿潤強度樹脂を実質的に含まない、第２のプライと、を含み、
湿潤摩耗リント面積が、湿潤摩耗リント試験により決定されるとき、前記トイレットペーパーが、０．３３３ｍｍ２／ｇ未満の湿潤摩耗リント面積対ＣＤ湿潤引張強度の比を有する、多プライトイレットペーパー。
【請求項２２】
多プライトイレットペーパーであって、
前記トイレットペーパーの第１の表面を形成し、第１の層および第２の層を含む第１のプライと、
前記トイレットペーパーの第２の表面を形成し、第１の層および第２の層を含む第２のプライと、
を含み、
前記第１のプライおよび前記第２のプライの少なくとも一方の前記第１の層および前記第２の層の少なくとも一方は、一時的湿潤強度樹脂を含み、
前記第１のプライおよび前記第２のプライの少なくとも一方の前記第１の層および前記第２の層の少なくとも他方は、一時的湿潤強度樹脂を含まず、
前記トイレットペーパーが、５０ｇ〜９０ｇの間のＣＤ湿潤引張強度を有する、多プライトイレットペーパー。
【請求項２３】
多プライトイレットペーパーであって、
前記トイレットペーパーの第１の表面を形成し、第１の層および第２の層を含む第１のプライと、
前記トイレットペーパーの第２の表面を形成し、第１の層および第２の層を含む第２のプライと、
を含み、
前記第１のプライおよび前記第２のプライの少なくとも一方の前記第１の層および前記第２の層の少なくとも一方は、一時的湿潤強度樹脂を含み、
前記第１のプライおよび前記第２のプライの少なくとも一方の前記第１の層および前記第２の層の少なくとも他方は、一時的湿潤強度樹脂を含まず、
湿潤摩耗リント面積が、湿潤摩耗リント試験により決定されるとき、前記トイレットペーパーが、０．３３３ｍｍ２／ｇ未満の湿潤摩耗リント面積対ＣＤ湿潤引張強度の比を有する、多プライトイレットペーパー。
【請求項２４】
前記第２のプライの前記第１の層は、一時的湿潤強度樹脂を含み、前記第２のプライの前記第２の層は、一時的湿潤強度樹脂を実質的に含まない、請求項１９、２２および２３のいずれか一項に記載の多プライトイレットペーパー。
【請求項２５】
前記トイレットペーパーが北部針葉樹クラフト繊維およびユーカリ繊維を含む、請求項１９〜２４のいずれか一項に記載の多プライトイレットペーパー。
【請求項２６】
前記トイレットペーパーが北部針葉樹クラフト繊維を少なくとも２５％含む、請求項２５に記載の多プライトイレットペーパー。
【請求項２７】
前記トイレットペーパーが北部針葉樹クラフト繊維を１４％〜４０％およびユーカリ繊維を６０％〜８６％含む、請求項１９〜２３のいずれか一項に記載の多プライトイレットペーパー。
【請求項２８】
前記第１のプライと前記第２のプライとの間に挟まれた第３のプライをさらに含む、請求項１９〜２３のいずれか一項に記載の多プライトイレットペーパー。
【請求項２９】
前記第３のプライが南部広葉樹繊維、南部針葉樹繊維および再生繊維を含む、請求項２８に記載の多プライトイレットペーパー。
【請求項３０】
前記第３のプライが１層だけを含み、前記１層全体に一時的湿潤強度樹脂を有する、請求項２８に記載の多プライトイレットペーパー。
【請求項３１】
前記第３のプライが前記第１のプライおよび前記第２のプライのそれぞれよりも低いＣＤ湿潤引張強度を有する、請求項２８に記載の多プライトイレットペーパー。
【請求項３２】
前記トイレットペーパーがセルロースマイクロ繊維を含まない、請求項１９〜２３のいずれか一項に記載の多プライトイレットペーパー。
【請求項３３】
前記トイレットペーパーが１３０ｍｉｌｓ／８プライ超の厚さを有する、請求項１９〜２３のいずれか一項に記載の多プライトイレットペーパー。
【請求項３４】
前記トイレットペーパーが３０ｌｂｓ／連〜４０ｌｂｓ／連の坪量を有する、請求項１９〜２３のいずれか一項に記載の多プライトイレットペーパー。
【請求項３５】
前記トイレットペーパーが５０ｇ〜９０ｇの間のＣＤ湿潤引張強度を有する、請求項１９、２１、２３および２４のいずれか一項に記載の多プライトイレットペーパー。
【請求項３６】
前記トイレットペーパーが５５ｇ〜８５ｇの間のＣＤ湿潤引張強度を有する、請求項３５に記載の多プライトイレットペーパー。
【請求項３７】
前記トイレットペーパーが６５ｇ〜７５ｇの間のＣＤ湿潤引張強度を有する、請求項３５に記載の多プライトイレットペーパー。
【請求項３８】
前記トイレットペーパーが６０ｇ／％歪み未満のＧＭ破断係数を有する、請求項１９〜２３のいずれか一項に記載の多プライトイレットペーパー。